(57)【要約】【課題】下方により多くの光を出射することが可能な発光装置を提供すること。【解決手段】発光装置Ａは、第１の方向ｘに凹む凹部１０を有するケース１と、凹部１０の底部１１に配置された光源２と、光源２から出射される光を透過させる材質で形成され、光源を覆うように凹部１０に充填された封止部材４と、を備えており、凹部１０は、第１の方向ｘと直交する第２の方向ｙにおいて、光源２より一方側に形成された第１の反射面１２と、光源２より他方側に形成された第２の反射面１３とを有しており、第２の反射面１３と底部１１とが成す角度α２は、第１の反射面１２と底部１１とが成す角度α１よりも大きいことを特徴とする。【選択図】  図２
2010171294.tif 000002
【特許請求の範囲】
【請求項１】
第１の方向に凹む凹部を有するケースと、
上記凹部の底部に配置された光源と、
上記光源から出射される光を透過させる材質で形成され、上記光源を覆うように上記凹部に充填された封止部材と、
を備えた発光装置であって、
上記凹部は、上記第１の方向と直交する第２の方向において、上記光源より一方側に形成された第１の反射面と、上記光源より他方側に形成された第２の反射面とを有しており、
上記第２の反射面と上記底部とが成す角度は、上記第１の反射面と上記底部とが成す角度よりも大きいことを特徴とする、発光装置。
【請求項２】
上記第１および第２の反射面は、上記第１の方向において上記光源から遠ざかるほど、上記第２の方向において上記光源から遠ざかるように形成されている、請求項１に記載の発光装置。
【請求項３】
上記第１および上記第２の反射面は、凹面に形成されている、請求項２に記載の発光装置。
【請求項４】
上記凹部は、上記第２の方向において上記第２の反射面の他方側に設けられており、上記第２の方向において上記光源から遠ざかるにつれて上記光源から遠ざかるように形成された第３の反射面を有しており、
上記第３の反射面と上記底部とが成す角度は、上記第２の反射面と上記底部とが成す角度よりも大きくなっている、請求項１ないし３のいずれかに記載の発光装置。
【請求項５】
上記光源が、上記第１および第２の方向と直交する第３の方向に沿って一列に並ぶように配置された赤緑青の発光ダイオードからなる、請求項１ないし４のいずれかに記載の発光装置。
【請求項６】
上記凹部は、上記第１の反射面の上記第２方向における一方側の端部に接する第４の反射面を有しており、
上記第４の反射面と上記底部とが成す角度は、上記第１の反射面と上記底部とが成す角度よりも小さくなっている、請求項１ないし５のいずれかに記載の発光装置。
【発明の詳細な説明】
【技術分野】
【０００１】
本発明は、頭上に設置される表示装置に用いられる発光装置に関する。
【背景技術】
【０００２】
図５は、従来の発光装置の一例を示している（たとえば特許文献１参照）。同図に示された発光装置Ｘは、基台９１と、光源９２と、封止部材９３と、電極９４とを備えている。光源９２は、ＬＥＤ素子である。この発光装置Ｘは、主に、図５に示すｘ方向に向けて光を出射するように構成されている。
【０００３】
しかしながら、このような発光装置Ｘを、例えば駅に設置される電光掲示板のように見る人の頭上に設置される表示装置に用いた場合、下方に進む光が少ないため表示が暗く見えることがあった。
【先行技術文献】
【特許文献】
【０００４】
【特許文献１】特開２００７−２６６２４６号公報
【発明の概要】
【発明が解決しようとする課題】
【０００５】
本発明は、上記した事情のもとで考え出されたものであって、たとえば下方により多くの光を出射することが可能な発光装置を提供することを課題とする。
【課題を解決するための手段】
【０００６】
本発明によって提供される発光装置は、第１の方向に凹む凹部を有するケースと、上記凹部の底部に配置された光源と、上記光源から出射される光を透過させる材質で形成され、上記光源を覆うように上記凹部に充填された封止部材と、を備えた発光装置であって、上記凹部は、上記第１の方向と直交する第２の方向において、上記光源より一方側に形成された第１の反射面と、上記光源より他方側に形成された第２の反射面とを有しており、上記第２の反射面と上記底部とが成す角度は、上記第１の反射面と上記底部とが成す角度よりも大きいことを特徴とする。
【０００７】
本発明の好ましい実施の形態においては、上記第１および第２の反射面は、上記第１の方向において上記光源から遠ざかるほど、上記第２の方向において上記光源から遠ざかるように形成されている。
【０００８】
より好ましくは、上記第１および上記第２の反射面は、凹面に形成されている。
【０００９】
本発明のさらに好ましい実施の形態においては、上記凹部は、上記第２の方向において上記第２の反射面の他方側に設けられており、上記第２の方向において上記光源から遠ざかるにつれて上記光源から遠ざかるように形成された第３の反射面を有しており、上記第３の反射面と上記底部とが成す角度は、上記第２の反射面と上記底部とが成す角度よりも大きくなっている。
【００１０】
より好ましくは、上記光源が、上記第１および第２の方向と直交する第３の方向に沿って一列に並ぶように配置された赤緑青の発光ダイオードからなる。
【００１１】
さらにより好ましくは、上記凹部は、上記第１の反射面の上記第２方向における一方側の端部に接する第４の反射面を有しており、上記第４の反射面と上記底部とが成す角度は、上記第１の反射面と上記底部とが成す角度よりも小さくなっている。
【発明の効果】
【００１２】
本発明の発光装置では、上記光源から出射される光のうち、上記第１および第２の反射面によって反射された光は、上記第２の方向において、上記一方側よりも上記他方側により進行しやすくなっている。このため、上記発光装置は、上記第２の方向における上記他方側に向けて比較的多くの光を出射可能となっている。従って、本発明の発光装置を頭上に設置する表示装置に上記他方側を下方となるように組み込んだ場合、上記表示装置は、下から見上げる人にとってより見やすいものとなる。
【００１３】
本発明のその他の特徴および利点は、添付図面を参照して以下に行う詳細な説明によって、より明らかとなろう。
【図面の簡単な説明】
【００１４】
【図１】本発明にかかる発光装置の実施形態の一例を示す平面図である。
【図２】図１のＩＩ−ＩＩ線に沿う断面図である。
【図３】図１に示す発光装置において光源の一方側から出た光が進む光路の例を示す断面図である。
【図４】図１に示す発光装置において光源の他方側から出た光が進む光路の例を示す断面図である。
【図５】従来における発光装置の一例を示す断面図である。
【発明を実施するための形態】
【００１５】
図１〜図４には、本発明にかかる発光装置の実施形態の一例を示している。図１〜図４に示す発光装置Ａは、ケース１、光源２、リード群３、および、封止部材４を備えている。さらに、図１〜図４には、互いに直交する、第１の方向ｘ、第２の方向ｙ、および、第３の方向ｚを示している。またさらに、図３および図４では、光源２の第２の方向ｙの一方側または他方側から出射された光の進む光路を示している。
【００１６】
ケース１は、図１および図２に示すように、全体として直方体状であり、第１の方向ｘにおいて凹む凹部１０を備えている。この凹部１０は、第３の方向ｚにおいて一定幅を有しており、第３の方向ｚに沿って一様の断面を有している。このケース１は、たとえば、白色樹脂で形成されている。
【００１７】
凹部１０は、平坦な底部１１および第１〜４の反射面１２，１３，１４，１５を有している。底部１１は、第１の方向ｘに対して垂直な長方形状の平坦な面に形成されている。第１の反射面１２は、底部１１の第２の方向ｙにおける一方側に形成されている。第２の反射面１３は、底部１１の第２の方向ｙにおける他方側に形成されている。第３の反射面１４は、第２の反射面１３の第２の方向ｙにおける他方側に形成されている。第４の反射面１５は、第１の反射面１２の第２の方向ｙにおける一方側に形成されている。
【００１８】
第１の反射面１２は、図３に示すように、光源２の第２の方向ｙの一方側から出射された光を第２の方向ｙにおいて他方側に向けて反射するように形成されている。
【００１９】
第２の反射面１３は、図４に示すように、光源２の第２の方向ｙの他方側から出射された光を第２の方向ｙにおいて他方側に向けて反射するように形成されている。
【００２０】
第１の反射面１２および第２の反射面１３は、凹面に形成されている。図２には、第１の反射面１２の第２の方向ｙにおける両端を結ぶ２点鎖線１２ａと、第２の反射面１３の第２の方向ｙにおける両端を結ぶ２点鎖線１３ａとを示している。本実施形態では、第１の反射面１２と底部１１とが成す角を底部１１と２点鎖線１２ａとが成す角α１とみなす。また、第２の反射面１３と底部１１とが成す角を底部１１と２点鎖線１３ａとが成す角α２とみなす。なお、角α２は角α１よりも大きくなっている。
【００２１】
第３の反射面１４と底部１１が成す角は、底部１１と平行な２点鎖線１１ａと第３の反射面１４とが成す角α３と等しくなっている。この角α３は角α２よりも大きくなっている。この第３の反射面１４は、たとえば、封止部材４と外気との境界で全反射した光を反射し、封止部材４の外側に出射させるために設けられている。
【００２２】
第４の反射面１５は、底部１１に対して垂直な面となるように形成されている。
【００２３】
リード群３１は、底部１１においてその一部がケース１から露出する４本のリード３１，３２，３３，３４からなる。リード３１，３２，３３は、底部１１から第２の方向ｙにおいて他方側に向かって長く延びている。リード３１，３２，３３の第２の方向ｙにおける他方側の端部は、ケース１の外部へ延出し、外部電源に接続するための端子となっている。リード３４は、底部１１から第２の方向ｙにおいて一方側に向かって長く延びている。リード３４の第２の方向ｙにおける一方側の端部は、ケース１の外部へ延出し、外部電源に接続するための端子となっている。
【００２４】
光源２は、第３の方向ｚに沿って一列に並ぶ青色の発光ダイオード（ＬＥＤ）２１、緑色のＬＥＤ２２、赤色のＬＥＤ２３によって構成されている。ＬＥＤ２１，２２，２３は、第１の方向ｘにおける高さが揃うようにそれぞれリード３１，３２，３３に設置されている。さらに、ＬＥＤ２１，２２，２３は、ワイヤを用いてそれぞれリード３４と導通接続されている。なお、図２〜図４においては、ワイヤを省略している。
【００２５】
封止部材４は、光源２およびリード群３の露出部を覆うように凹部１０に充填された透明樹脂である。
【００２６】
次に、このような発光装置Ａの作用について説明する。
【００２７】
本実施形態によれば、図３に示すように、光源２の第２の方向ｙにおける一方側から出射された光の大部分は、第１または第４の反射面１２，１５によって反射される。図３によると、第４の反射面１５により反射された光は、第２の方向ｙにおける他方側に向けて進行する。また、第１の反射面１２により反射された光は、第２の方向ｙにおいて他方側に偏りつつ第１の方向ｘに沿って進行する。一方、図４に示すように、光源２の第２の方向ｙにおける他方側から出射された光はほぼ全て第２の方向ｙにおける他方側に向けて進行している。
【００２８】
以上のことから、発光装置Ａは、第２の方向ｙにおける一方側に向けて出射する光を減らし、他方側に向けて出射する光を増やすことができる。このため、発光装置Ａは、たとえば、駅に設置される電光掲示板のように上方に光を出射する必要性が低く、下方により多くの光を出射する必要性が高い表示装置に用いるのに適している。
【００２９】
さらに、本実施形態によれば、光源２からの光をより効率よく必要な方向に向けて出射しているため、光源２の光量を小さくしても、必要な方向に十分な光を出射することが可能である。このため、発光装置Ａは、省エネ化を図りやすくなっている。
【００３０】
さらに、本実施形態によれば、第３の反射面１４は、封止部材４の表面に対して傾斜している。このため、封止部材４と外気との境界で全反射して封止部材４の内部に戻った光であっても、上記第３の反射面１４で反射することにより進行方向が変化し、封止部材４の外部へ出射されることがある。従って、発光装置Ａでは、光源２からの光を、より効率よく利用可能であり、より省エネ化を図りやすくなっている。
【００３１】
本発明に係る発光装置は、上述した実施形態に限定されるものではない。本発明に係る発光装置の各部の具体的な構成は、種々に設計変更自在である。たとえば、ＬＥＤ２２が、第２の方向ｙにおいてＬＥＤ２１，２３よりも他方側に配置されていても構わない。
【符号の説明】
【００３２】
Ａ        発光装置
ｘ        第１の方向
ｙ        第２の方向
ｚ        第３の方向
１        ケース
２        光源
３        リード群
４        封止部材
１０      凹部
１１      底部
１２      第１の反射面
１３      第２の反射面
１４      第３の反射面
１５      第４の反射面
２１      （青色）発光ダイオード（ＬＥＤ）
２２      （緑色）発光ダイオード（ＬＥＤ）
２３      （赤色）発光ダイオード（ＬＥＤ）
３１，３２，３３，３４  リード
【図１】
2010171294.tif 000003
【図２】
2010171294.tif 000004
【図３】
2010171294.tif 000005
【図４】
2010171294.tif 000006
【図５】
2010171294.tif 000007